(57)【要約】【課題】  スピーカ本体の取り付け位置を、高さ方向に簡単に変更することができる車載用スピーカ装置を提供すること。【解決手段】  高さ方向に延びる略柱状の取付対象部材１０に取り付けられる車載用スピーカ装置であって、取付対象部材１０に沿った方向に延び、当該取付対象部材１０に固定される取付部材１６と、取付対象部材１０に沿った方向における取付部材１６のいずれかの位置に着脱自在に取り付けられるスピーカ本体１７とを備える。【選択図】      図２
2006094254.tif 000002
【特許請求の範囲】
【請求項１】
高さ方向に延びる略柱状の取付対象部材に取り付けられる車載用スピーカ装置であって、
前記取付対象部材に沿った方向に延び、当該取付対象部材に固定される取付部材と、前記取付対象部材に沿った方向における前記取付部材のいずれかの位置に着脱自在に取り付けられるスピーカ本体と、を備えることを特徴とする車載用スピーカ装置。
【請求項２】
前記取付部材は、前記取付対象部材に沿った方向における当該取付対象部材の略全域に渡って設けられていることを特徴とする請求項１に記載の車載用スピーカ装置。
【請求項３】
前記取付部材は、前記取付対象部材に沿った方向に沿って配置される磁石もしくは磁性体を備え、前記スピーカ本体は、前記磁石もしくは前記磁性体に着脱する磁石を備えることを特徴とする請求項１または２に記載の車載用スピーカ装置。
【請求項４】
前記取付部材は、前記取付対象部材に沿った方向に沿って配置される磁石を備え、前記スピーカ本体は、前記磁石に着脱する磁性体を備えることを特徴とする請求項１または２に記載の車載用スピーカ装置。
【請求項５】
前記取付部材に配置される前記磁石は、前記取付対象部材に沿った方向における前記取付部材の略全域に渡ってレール状に形成されていることを特徴とする請求項３または４に記載の車載用スピーカ装置。
【請求項６】
前記取付部材は、前記取付対象部材に沿った方向に沿ってレール状に形成されるレール状電極を備え、前記スピーカ本体は、前記レール状電極に当接して電気的に接続される接触端子部を備えることを特徴とする請求項１乃至５のいずれかに記載の車載用スピーカ装置。
【請求項７】
前記取付部材には、当該取付部材の各端部と前記スピーカ本体との間を覆う伸縮自在なカバー部材が設けられていることを特徴とする請求項１乃至６のいずれかに記載の車載用スピーカ装置。
【請求項８】
前記取付対象部材は、車両のピラーであることを特徴とする請求項１乃至７のいずれかに記載の車載用スピーカ装置。
【発明の詳細な説明】
【技術分野】
【０００１】
本発明は、車両のピラーに取り付けられる車載用スピーカ装置に関する。
【背景技術】
【０００２】
従来、車両のピラーに取り付けられた車載用スピーカ装置が知られている（例えば、特許文献１参照）。この種の車載用スピーカ装置では、スピーカ本体をピラーに取り付ける場合、このスピーカ本体を聴取者の背丈（例えば耳の高さ）に合わせて配置することによって、音像を適切な位置に定位させることが望ましい。
【特許文献１】特開平８−１６４７９９号公報
【発明の開示】
【発明が解決しようとする課題】
【０００３】
しかしながら、従来の車載用スピーカ装置は、スピーカ本体がピラーに固定されており、スピーカ本体の取付位置（高さ）を変更することができないため、聴取者の座高によって聴取者の耳の高さとスピーカ本体の高さとの位置関係が異なることにより、音像を適切な位置に定位できないといった問題があった。
本発明は、上述した事情に鑑みてなされたものであり、スピーカ本体の取り付け位置を、高さ方向に簡単に変更することができる車載用スピーカ装置を提供することを目的とする。
【課題を解決するための手段】
【０００４】
上記目的を達成するために、本発明は、高さ方向に延びる略柱状の取付対象部材に取り付けられる車載用スピーカ装置であって、取付対象部材に沿った方向に延び、当該取付対象部材に固定される取付部材と、取付対象部材に沿った方向における取付部材のいずれかの位置に着脱自在に取り付けられるスピーカ本体と、を備えることを特徴とする。
【０００５】
この場合において、取付部材は、取付対象部材に沿った方向における当該取付対象部材の略全域に渡って設けられる構成としても良い。また、取付部材は、取付対象部材に沿った方向に沿って配置される磁石もしくは磁性体を備え、スピーカ本体は、磁石もしくは磁性体に着脱する磁石を備える構成としても良い。また、取付部材は、取付対象部材に沿った方向に沿って配置される磁石を備え、スピーカ本体は、磁石に着脱する磁性体を備える構成としても良い。この場合において、取付部材に配置される磁石は、取付対象部材に沿った方向における取付部材の略全域に渡ってレール状に形成される構成としても良い。
【０００６】
また、取付部材は、取付部材は、取付対象部材に沿った方向に沿ってレール状に形成されるレール状電極を備え、スピーカ本体は、レール状電極に当接して電気的に接続される接触端子部を備える構成としても良い。また、取付部材には、当該取付部材の各端部とスピーカ本体との間を覆う伸縮自在なカバー部材が設けられる構成としても良い。また、取付対象部材は、車両のピラーである構成としても良い。
【発明の効果】
【０００７】
本発明によれば、スピーカ本体の取り付け位置を高さ方向に簡単に変更できる。
【発明を実施するための最良の形態】
【０００８】
以下図面を参照して、本発明の実施の形態について説明する。図１は、車両の室内の一部を示す斜視図である。この図１において、符号１０は車両の屋根１１を支えるＡピラー（取付対象部材）であり、このＡピラー１０は、フロントガラス１２と前ドアガラス１３との間に設けられている。
【０００９】
また、Ａピラー１０には、車載用スピーカ装置（以下、スピーカ装置という）１５が取り付けられている。このスピーカ装置１５は、図示しないオーディオ装置（オーディオビジュアル装置を含む）からの音声を出力するものであり、Ａピラー１０に固定された取付部材１６と、この取付部材１６に着脱自在に取り付けられたスピーカ本体１７とを備える。なお、図１では、助手席側に設けられたスピーカ装置１５のみを示しているが、このスピーカ装置１５は、助手席側のＡピラー１０だけでなく運転手席側のＡピラー（不図示）にも設けられている。
【００１０】
取付部材１６は、図２に示すように、Ａピラー１０に沿った方向における当該Ａピラー１０の略全域に渡って設けられており、このＡピラー１０に固定されている。具体的には、取付部材１６は、Ａピラー１０に沿った方向に沿って延び、このＡピラー１０に、ねじ止め、もしくは貼着によって固定されるベース板２０と、このベース板２０上に配置される取付部材側磁石２１及びレール状電極２２とを備える。
【００１１】
取付部材側磁石２１は、この取付部材側磁石２１が有する磁力により、上記スピーカ本体１７を取付部材１６に着脱自在に取り付けるものである。本構成では、取付部材側磁石２１は、図２に示すように、Ａピラー１０に沿った方向（取付部材１６の長手方向）に沿って、上記ベース板２０上にレール状に形成されており、複数本（３本）の取付部材側磁石２１が、それぞれ略平行に設けられている。これら取付部材側磁石２１は、ベース板２０の長手方向の略全域に設けられており、これら各磁石２１の高さＨ１は、図３に示すように、それぞれ略等しくなるように構成されている。
【００１２】
また、レール状電極２２は、図示しないオーディオ装置に接続され、このオーディオ装置からの音声信号をスピーカ本体１７に伝達するものである。本構成では、２本のレール状電極２２は、図２に示すように、ベース板２０の長手方向の略全域に略平行に設けられるとともに、上記各取付部材側磁石２１の間に設けられており、一方は＋極に他方が−極に設定されている。また、これらレール状電極２２の高さＨ２は、図３に示すように、上記取付部材側磁石２１の高さＨ１に比べて高く設定されており、当該レール状電極２２は、取付部材側磁石２１の上面から突出するように構成されている。また、レール状電極２２の幅Ｗ２はそれぞれ略等しく、中央に配置された取付部材側磁石２１の幅Ｗ１に比べて狭く設定されている。なお、各取付部材側磁石２１と、各レール状電極２２との間には、絶縁部材（不図示）が配置されている。
【００１３】
スピーカ本体１７は、取付部材１６の長手方向における当該取付部材１６のいずれかの位置に着脱自在に構成されている。具体的には、スピーカ本体１７は、図４に示すように、略円形のベース部材３１を備え、このベース部材３１の上面には、略半球状に形成されたグリルメッシュ３４が配置され、このグリルメッシュ３４の内部に高音域用のスピーカ（例えばツイータ、不図示）が配置されている。ツイータは、メインスピーカの高域再生を補助するとともに、このツイータの位置、向き、角度によって音像を定位させる効果を有している。また、ベース部材３１の底面には、スピーカ本体側磁石３２及び接触端子部３３が配置されている。
【００１４】
スピーカ本体側磁石３２は、スピーカ本体１７を取付部材１６に取り付ける際に、上記取付部材側磁石２１（図３）に接合するものであり、この取付部材側磁石２１とは反対の磁性を帯びている。スピーカ本体側磁石３２は、図４に示すように、３つに分けて配置されており、これら各スピーカ本体側磁石３２が、それぞれ上記各取付部材側磁石２１（図３）に接合するような位置に配置されている。また、これらスピーカ本体側磁石３２の高さＨ３は、それぞれ略等しくなるように構成されている。
【００１５】
また、これらスピーカ本体側磁石３２は、図５に示すように、３つのスピーカ本体側磁石３２を合わせると、ベース部材３１よりも半径の小さな略円形をなすような形状に構成されている。各スピーカ本体側磁石３２の間には、それぞれ幅Ｗ４の溝が略平行に形成されており、これら溝には接触端子部３３がそれぞれ配置されている。この接触端子部３３は、スピーカ本体１７を取付部材１６に取り付ける際に、この取付部材１６に設けられているレール状電極２２に当接して、このレール状電極２２から音声信号を受け取るものである。接触端子部３３は、一方が＋極に他方が−極に設定され、上記ツイータに接続されている。なお、各スピーカ側磁石３２と、各接触端子部３３との間には、絶縁部材（不図示）が配置されている。
【００１６】
本構成では、スピーカ本体１７を取付部材１６に取り付ける場合に、各取付部材側磁石２１と各スピーカ本体側磁石３２とが、それぞれ接合するとともに、各レール状電極２２が各接触端子部３３にそれぞれ当接するように構成されている。具体的には、図３及び図４に示すように、取付部材側磁石２１の高さＨ１と、スピーカ本体側磁石３２の高さＨ３との和Ｈ１＋Ｈ３は、レール状電極２２の高さＨ２と、接触端子部３３の高さＨ４との和Ｈ２＋Ｈ４と等しくなるように構成されている。また、接触端子部３３の幅Ｗ４は、レール状電極２２の幅Ｗ２よりも僅かに大きく設定されているとともに、中央に配置されている取付部材側磁石２１の幅Ｗ１は、中央に配置されているスピーカ本体側磁石３２の幅Ｗ３よりも僅かに大きく設定されている。
【００１７】
次に、図６を参照して、Ａピラー１０に設けられた取付部材１６にスピーカ本体１７を取り付ける動作について説明する。スピーカ本体１７を取付部材１６に取り付ける場合には、スピーカ本体１７の接触端子部３３と取付部材１６のレール状電極との位置を合わせて、取付部材側磁石２１及びスピーカ本体側磁石３２を接合させることによっておこなう。この場合、上述のように、取付部材側磁石２１の高さＨ１と、スピーカ本体側磁石３２の高さＨ３との和Ｈ１＋Ｈ３は、レール状電極２２の高さＨ２と、接触端子部３３の高さＨ４との和Ｈ２＋Ｈ４と等しくなるように構成されているため、各取付部材側磁石２１と各スピーカ本体側磁石３２とが、それぞれ接合されると、各レール状電極２２が各接触端子部３３にそれぞれ確実に当接するため、これらレール状電極２２及び接触端子部３３を通じて、上記ツイータに音声信号が伝達され、当該ツイータから音声が出力される。
【００１８】
本実施形態によれば、取付部材１６は、この取付部材１６の長手方向の略全域にレール状に形成される取付部材側磁石２１を備え、この取付部材側磁石２１の磁力によって、スピーカ本体１７を着脱自在に構成しているため、上記取付部材１６の範囲内において、当該取付部材１６の長手方向のいずれかの位置にスピーカ本体１７を取り付けることができる。これによれば、スピーカ本体１７の取り付け位置をＡピラーの高さ方向に簡単に変更することができ、ユーザが所望する位置にスピーカ本体１７を取り付けることができる。従って、ユーザの耳の高さに合わせて、スピーカ本体１７を配置することができるため、音像を適切な位置に定位させることができる。
【００１９】
本実施形態によれば、取付部材１６は、Ａピラー１０に沿った方向における当該Ａピラー１０の略全域に渡って設けられているため、Ａピラー１０の範囲内において、ユーザが所望する位置にスピーカ本体１７を取り付けることができる。
【００２０】
また、本実施形態では、取付部材１６及びスピーカ本体１７のそれぞれに磁石２１、３２を設け、これら各磁石２１、３２の磁力によって、取付部材１６にスピーカ本体１７を取り付ける構成としているため、工具を必要とすることなく、簡単な操作で取付部材１６にスピーカ本体１７を着脱することができる。
【００２１】
また、本実施形態では、取付部材１６は、この取付部材１６の長手方向の略全域に形成されるレール状電極２２を備え、スピーカ本体１７は、上記レール状電極２２に当接して電気的に接続される接触端子部３３を備える構成としていたため、スピーカ本体１７を取付部材１６のいずれかの位置に取り付けた場合であっても、スピーカ本体１７から音声を出力することができるとともに、スピーカ本体１７の配線施工工事を不要となり見栄えが向上する。また、スピーカ本体１７の着脱が容易にできるため、万一、スピーカ本体１７が破損した場合であっても、このスピーカ本体１７を外して交換するだけでよい。
【００２２】
本実施形態では、レール状電極２２は、＋極、−極ともに同一の幅Ｗ２に形成されており、接触端子部３３も同様に＋極、−極ともに同一の幅Ｗ４に形成されている。これによれば、＋極同士、−極同士を接続する場合のみならず、＋極と−極とを違えて接続することが可能となるため、高域（ツィータ）のみ正相／逆相とすることができ、拡がり感を演出することができる。
【００２３】
上述した実施形態は、あくまで本発明の一態様に過ぎず、本発明の範囲内で任意に変形が可能である。例えば、上記実施形態では、取付部材１６及びスピーカ本体１７のそれぞれに磁石２１、３２を設け、これら磁石２１、３２の磁力によって、取付部材１６にスピーカ本体１７を取り付ける構成としているが、これに限らず、取付部材１６もしくはスピーカ本体１７の一方に磁石を設け、他方に磁性体（例えば鉄など）を設けることによって、取付部材１６にスピーカ本体１７を取り付ける構成としてもよい。
【００２４】
また、上記実施形態では、取付部材１６の長手方向に配置される取付部材側磁石２１は、レール状に形成されたものであるが、これに限らず、複数の磁石を取付部材１６の長手方向に点在させる構成としても良い。また、上記実施形態では、車両のフロント側の支柱、すなわちＡピラー１０にスピーカ装置１５を配置する構成について説明したが、これに限らず、車両の中央の支柱（Ｂピラー）、もしくは車両のリア側の支柱（Ｃピラー、Ｄピラー）にスピーカ装置１５を配置する構成としても良い。
【００２５】
また、上記実施形態では、取付部材１６とスピーカ本体１７とを、磁力によって取り付ける構成について説明しているが、これに限らず、例えば、面ファスナやクリップなどで上記取付部材１６及び上記スピーカ本体１７を取り付ける構成としても良い。
【００２６】
上記構成では、スピーカ本体１７が取り付けられる取付部材１６は、取付部材側磁石２１及びレール状電極２２が露出する構成であったが、この取付部材１６を覆うようにカバー部材５０を配置する構成としても良い。この構成では、カバー部材５０は、図７（Ａ）に示すように、蛇腹状に伸縮自在に形成されており、このカバー部材５０の一端には、取付部材１６の一端に固定する固定部５１が設けられ、カバー部材５０の他端にはスピーカ本体１７のベース部材３１（図４）に係合し、スピーカ本体１７の位置に連動する係合部５３が設けられている。
【００２７】
これによれば、スピーカ本体１７を、図７（Ａ）に示す位置から図７（Ｂ）に示す位置に変更して、取付部材１６に取り付けた場合であっても、カバー部材５０がそれぞれ伸縮することにより、常時取付部材１６の表面を覆うため、この取付部材１６に設けられた取付部材側磁石２１及びレール状電極２２が露出することがなく、外観上見栄えが向上するとともに、塵埃によってレール状電極２２及び接触端子部３３の接触不良が生じることが防止される。
【図面の簡単な説明】
【００２８】
【図１】本発明の実施の形態に係るスピーカ装置の外観斜視図である。
【図２】Ａピラーに取り付けられたスピーカ装置を説明するための図である。
【図３】Ａピラー及び取付部材の断面図である。
【図４】スピーカ本体の側面図である。
【図５】スピーカ本体の底面図である。
【図６】スピーカ本体の取付説明図である。
【図７】スピーカ装置の変形例を示す図である。
【符号の説明】
【００２９】
１０  Ａピラー（取付対象部材）
１１  フロントガラス
１２  前ドアガラス
１５  車載用スピーカ装置
１６  取付部材
１７  スピーカ本体
２０  ベース板
２１  取付部材側磁石（磁石）
２２  電極
３１  ベース部材
３２  スピーカ本体側磁石（磁石）
３３  接触端子部
３４  グリルメッシュ
５０  カバー部材
５１  固定部
５３  係合部
【図１】
2006094254.tif 000003
【図２】
2006094254.tif 000004
【図３】
2006094254.tif 000005
【図４】
2006094254.tif 000006
【図５】
2006094254.tif 000007
【図６】
2006094254.tif 000008
【図７】
2006094254.tif 000009